(57)【要約】【課題】複数人で単一の機器を操作しても、機器の操作者が作成したデジタルコンテンツを個人別に容易に検索することができるようにする。【解決手段】機器（例えば、撮影装置）１０のコンテンツ入力操作手段（例えば、シャッタスイッチ）を操作するとき、該機器１０を操作する操作者の生体情報（例えば指紋）も入力される。入力された生体情報は符号化２され、同時に、入力されたコンテンツも符号化３される。これら符号化した生体情報とデジタルコンテンツとを関連付け４、記憶手段５に保存する。生体情報入力手段は前記コンテンツ入力操作手段に一体的に組み込まれており（参照番号１）、機器操作時、当該機器操作者の生体情報が、該機器に入力される。【選択図】図１
2006172146.tif 000002
【特許請求の範囲】
【請求項１】
機器を操作してコンテンツを入力するコンテンツ入力操作手段と、
前記機器を操作する際に当該機器を操作する操作者の生体情報を入力する生体情報入力手段と、
前記入力された生体情報を符号化する生体情報符号化手段と、
前記入力されたコンテンツをデジタルコンテンツとするデジタルコンテンツ作成手段と、
前記符号化した生体情報と前記デジタルコンテンツとを関連付ける符号化生体情報関連付け手段と、
前記符号化した生体情報と前記デジタルコンテンツとを保存する記憶手段と、
前記記憶手段に保存された前記符号化した生体情報と該符号化した生体情報と関連した前記デジタルコンテンツとを抽出する抽出手段とを備え、
前記生体情報入力手段は前記コンテンツ入力操作手段に一体的に組み込まれており、前記コンテンツ入力操作手段操作時、操作者の生体情報が該コンテンツ入力操作手段を通して該機器に入力されることを特徴とするデータ管理機能を有する機器。
【請求項２】
前記符号化した生体情報を表す関連親データと前記デジタルコンテンツを表す関連子データとが関連してデータ構造を構成していることを特徴とする請求項１に記載のデータ管理機能を有する機器。
【請求項３】
前記デジタルコンテンツに前記符号化した生体情報を付加する生体情報付加手段を備えたことを特徴とする請求項１又は２に記載のデータ管理機能を有する機器。
【請求項４】
関連親データ名称データ入力手段と、
前記関連親データ名称データを保存する着脱不可の記憶手段と、
前記関連親データ名称データと前記関連親データとを関連付ける関連親データ名称データ関連付け手段と、
関連子データ名設定手段とを有し、
前記関連子データ名設定手段は、前記関連親データ名称データの少なくとも一部を含めたデータを前記関連子データ名とすることを特徴とした請求項１乃至３のいずれか１に記載のデータ管理機能を有する機器。
【請求項５】
請求項１乃至請求項４のいずれかに記載のデータ管理機能を有する機器において、前記データ管理機能をＣＰＵに実行させることを特徴とするデータ管理プログラム。
【発明の詳細な説明】
【技術分野】
【０００１】
本発明は、生体情報を利用してデジタルコンテンツを管理するデータ管理機能を有する機器、及び、該機器に適用して好適なデータ管理プログラムに関する。
【背景技術】
【０００２】
現在、デジタルカメラなどの撮像機器の使用を制限する為、又は、著作者の保護の為に個人認証技術が使われている。
特許文献１によれば、著作権の保護の為に、予め撮影者の生体情報が記録された記憶媒体に記録されている生体情報と、機器の電源を投入した人の生体情報とを照合し、一致すれば、記憶媒体に記録されている生体情報を撮影画像に付加する技術が開示されている。
【特許文献１】特開２００４−２３７３５号公報
【発明の開示】
【発明が解決しようとする課題】
【０００３】
特許文献１には、撮像データに撮影者のデータ（撮影者に関する情報）を付加する際に、予め撮影者の生体情報が記憶された記憶媒体内の生体情報と、機器の電源を投入した人の生体情報を照合して、一致した場合に、生体情報を画像に付加するという、個人利用を主体にした方法が記載されている。
【０００４】
今日、画像撮影機器、例えば、デジタルカメラを気軽に他の使用者に貸す、又は、写真を撮らせるといった行動は、容易に想定でき、デジタルカメラを始めとして、画像撮影機器を共有して使用することは一般的であるし、実際に家族や仲間同士で貸し借りすることが多い。
【０００５】
前記方法では、複数の人が、１台の機器を共有して使用する場合において、予め機器を使用する人の生体情報を記憶させておくと、機器の使用時に、記憶媒体のデータを誤って削除、または、フォーマット（初期化）をする場合が想定され、再度生体情報を記録しなければならないという問題がある。
【０００６】
また、複数の人が機器を共有するような場合は、記憶媒体も複数あることもあり、その場合には、どの記憶媒体に使用者の生体データが入っているのかを、使用者自身が記憶しておかねばならないという問題が生じる。
【０００７】
また、昨今、記憶容量が増え、かつ、記憶媒体の価格が安価になっているため、それに伴い、今後も、デジタルコンテンツのデータ容量は、益々増えていく傾向にある。また、デジタルコンテンツを、光沢紙等の用紙に印刷する機会が減り、デジタルコンテンツそのもので管理するようになってきた。
【０００８】
このような事から、複数の人で機器を共有して使用する場合、大容量の記憶媒体の中から、撮影データ（デジタルコンテンツ）の撮影日が過去になればなる程、機器の操作者が撮影した撮影データを検索するのが困難になるという問題がある。さらに、操作者が、所望する撮影データだけを見たいといったニーズに対応することが出来ないという問題がある。
【０００９】
また、よりハイクオリティな画像データを得ようとした場合、デジタルコンテンツのデータ量は、画質に比例して増える。いくら大容量の記憶媒体であっても有限であり、デジタルコンテンツが同一の操作者から作成されたものであれば、各デジタルコンテンツに生体情報を付加するのは、データ容量を圧迫するだけでなく非効率という問題がある。
【００１０】
本発明は、上記の点に鑑みてなされたもので、複数人で機器を操作しても、複数の操作者が今までと相違なく機器を使用すること、機器の操作者が作成したデジタルコンテンツを容易に検索することができ、しかも、データ容量を抑えたデータ管理方法を提供することを目的とする。
【課題を解決するための手段】
【００１１】
第１の技術手段は、
機器を操作してコンテンツを入力するコンテンツ入力操作手段と、
機器を操作する際に当該機器を操作する操作者の生体情報を入力する生体情報入力手段と、
前記入力された生体情報を符号化する生体情報符号化手段と、
前記入力されたコンテンツをデジタルコンテンツとするデジタルコンテンツ作成手段と、
前記符号化した生体情報と前記デジタルコンテンツとを関連付ける符号化生体情報関連付け手段と、
前記符号化した生体情報と前記デジタルコンテンツとを保存する記憶手段と、
前記記憶手段に保存された前記符号化した生体情報と該符号化した生体情報と関連した前記デジタルコンテンツとを抽出する抽出手段とを備え、
前記生体情報入力手段は、前記コンテンツ入力操作手段に一体的に組み込まれており、機器操作時、当該機器操作者の生体情報が、該機器に入力されることを特徴とするデータ管理機能を有する機器であることを特徴とするものである。
【００１２】
第２の技術的手段は、前記第１の技術的手段において、前記符号化した生体情報を表す関連親データと前記デジタルコンテンツを表す関連子データとが関連してデータ構造を構成していることを特徴とするものである。
【００１３】
第３の技術的手段は、前記第１又は第２の技術的手段において、前記デジタルコンテンツに前記符号化した生体情報を付加する生体情報付加手段を備えたことを特徴とするものである。
【００１４】
第４の技術的手段は、前記第１乃至第３の技術的手段のいずれかにおいて、関連親データ名称データ入力手段と、
前記関連親データ名称データを保存する着脱不可能な記憶手段と、
前記関連親データ名称データと前記関連親データとを関連付ける関連親データ名称データ関連付け手段と、
関連子データ名設定手段とを有し、
前記関連子データ名設定手段は、前記関連親データ名称データの少なくとも一部を含めたデータを前記関連子データ名とすることを特徴とするものである。
【００１５】
第５の技術的手段は、前記第１乃至第４の技術的手段にいずれかに記載のデータ管理機能をＣＰＵに実行させるプログラムであることを特徴とするものである。
【発明の効果】
【００１６】
本発明は、機器を操作する操作者の生体情報と、前記機器によって操作者が作成したデジタルコンテンツとを関連付けて前記デジタルコンテンツを管理することでデジタルコンテンツ毎に生体情報を保持する必要がなく、記憶媒体を効率良く使用することが出来る。さらに、操作者ごとに、デジタルコンテンツを再生、閲覧、出力することが出来る。
【００１７】
また、たとえ、膨大な記憶容量をもつ記憶手段（記憶媒体）にデジタルコンテンツを保存しても、容易に、操作者が作成したデジタルコンテンツを検索することが可能である。
【００１８】
また、デジタルコンテンツに生体データ（生体情報）を付加して、機器外（ＰＣ（パーソナルコンピュータ）等）に移動、又は、複製することで、撮影時の処理を軽減する事が可能になり、ＰＣ等でも生体情報を付加したデジタルコンテンツを利用することが可能となる。
【００１９】
また、機器の操作スイッチに生体情報入力手段が一体的に組み込まれたことで、機器の操作者が操作スイッチを操作すれば、該操作者の生体情報を入力することができるため、別個に生体情報を入力するという負担を操作者にかけることなく、該操作者の生体情報を入力することができる。
【００２０】
また、関連親データ名称データを、着脱不可能な記憶手段に記憶することで、記憶手段（記憶媒体）をフォーマット（初期化）した場合や誤ってデータを削除してしまった場合でも、新たに作成されたデジタルコンテンツに関連設定を行うことにより、関連子データ名（デジタルコンテンツ名）を設定することができる。
【発明を実施するための最良の形態】
【００２１】
図１は、本発明によるデータ管理機能を有する機器の一実施例を説明するための要部概略構成を示すブロック図で、図中、１０は本発明によるデータ管理機能を有する機器で、該管理機能を有する機器１０は、生体情報入力手段及びコンテンツ入力操作手段１、生体情報符号化手段２、デジタルコンテンツ生成手段３、符号化生体情報関連付け手段４、記憶手段５、抽出手段６から構成される。
【００２２】
生体情報入力手段及びコンテンツ入力操作手段１において、生体情報入力手段は機器を操作する操作者の生体情報を入力するための手段、コンテンツ入力操作手段は、機器の操作者が該機器のスイッチを操作してコンテンツを入力するための手段であり、本発明においては、生体情報入力手段が、コンテンツ入力操作手段に一体的に組み込まれており、機器操作時、当該機器操作者の生体情報が該機器１０内に入力されるようになっている。
【００２３】
生体情報符号化手段２は、前述のように、機器操作時、該機器の操作に伴って自動的に入力された生体情報を符号化する手段であり、デジタルコンテンツ作成手段３は、機器の操作に伴って入力されたコンテンツからデジタルコンテンツを生成する手段である。
符号化生体情報関連付け手段４は、符号化した生体情報と前記デジタルコンテンツとを関連付けるための手段であり、記憶手段５は、前記符号化した生体情報と前記デジタルコンテンツを記憶するための手段で、この記憶手段５は、前記機器１０に対して固定されていても着脱可能であってもよい。また、抽出手段６は、前記符号化した生体情報と前記デジタルコンテンツを抽出するための手段である。
【００２４】
図２は、データ管理機能を有する機器１０で使用される記憶手段５内のデータ構成を表した図で、ここでは、前記符号化した生体情報を表す関連親データ２１と、前記デジタルコンテンツを表す関連子データ２２〜２５とが互いに関連のあるデータとして構成されている。つまり、図２では、関連親データ２１は、４個の関連子データ２２〜２５と関連していることを（概念的に）表している。
【００２５】
図３は、データ管理機能を有する機器１０として撮像装置（デジタルカメラ）を使用し、被写体を撮影するまでの動作手順を示したフロー図である。なお、本撮像装置のシャッターボタン（コンテンツ入力手段）には、生体情報入力手段が組み込まれ、コンテンツ入力手段と生体情報入力手段が一体化しており、写真を撮ろうとして（コンテンツを入力しようとして）、例えば、シャッターボタンに指をかけると、かけた指の指紋が撮像装置（デジタルカメラ）１０内に取り込まれる。
【００２６】
ステップＳ１では、撮影者がシャッターボタンを押下し、被写体を撮影する（コンテンツを入力する）。
ステップＳ２では、シャッターボタンの押下（コンテンツ入力操作手段）により入力されたコンテンツから、デジタルコンテンツ作成手段３により、デジタルコンテンツが作成される（つまり、撮像処理が実行される）。
ステップＳ３では、シャッターボタンに組み込まれている生体情報入力手段により、撮影者の生体情報（例えば、シャッターボタンを押した時の指の指紋）を取得し、デジタルカメラ内に取り込む。
ステップＳ４では、生体情報符号化手段２にて、前述のごとくして入力された生体情報を符号化する。
ステップＳ５では、符号化生体情報関連付け手段４により、関連親データが記憶手段５内に存在するか否か判定する。関連親データが存在する場合（ステップＳ５においてＹＥＳ）はステップＳ６に進み、存在しない場合（ステップＳ５においてＮＯ）はステップＳ７に進む。
【００２７】
ステップＳ６では、前記符号化された生体情報と記憶手段５内に存在する関連親データとが同一であるか否かを判定し、同一の場合（ステップＳ６においてＹＥＳ）はステップＳ８に進み、異なる場合（ステップＳ６においてＮＯ）はステップＳ７に進む。
ステップＳ７では、前記符号化された生体情報を新関連親データとして記憶手段５に保存する。
ステップＳ８では、符号化生体情報関連付け手段４により、ステップＳ４で符号化された生体情報が関連親データとして、ステップＳ２で生成された撮像データ（デジタルコンテンツ）が関連子データとして、それぞれが、関連あるデータとして、データの関連付け処理が行われる。
ステップＳ９では、前記関連親データと前記関連子データを記憶手段５に保存し、終了する。
【００２８】
このように、生体情報（例えば、カメラ操作者の指紋）と撮像データ（デジタルコンテンツ）が常に関連付けられているため、撮像データ毎に生体情報を付加（保持）する必要はなく、メモリーを節約する事が可能となる。
【００２９】
図４は、撮影者の撮像データ（デジタルコンテンツ）を抽出する処理を説明するためのフロー図で、ここでは、複数の撮影者が、本発明であるデータ管理機能を有する機器を具備する１台の撮像装置を使用し、複数枚の写真（本実施例では１００枚）を撮像後、複数の撮影者のうち特定の撮影者Ａが撮影した写真（本実施例では２３枚）を閲覧する場合を例にとって説明する。
【００３０】
ステップＳ１１では、撮像装置を再生モードにし、撮影者Ａがシャッターボタンを押下する。
ステップＳ１２では、シャッターボタンに組み込まれている生体情報入力手段にてＡの生体情報を取得し、生体情報符号化手段２にて前記生体情報を符号化して、ステップＳ１３に進む。
ステップＳ１３では、符号化生体情報関連付け手段４により、ステップＳ１２で符号化された生体情報と同じ関連親データが記憶手段５に存在するか否かを判定する。関連親データが存在する場合（ステップＳ１３においてＹＥＳ）はステップＳ１４に進み、存在しない場合（ステップＳ１３においてＮＯ）はステップＳ１６に進む。
【００３１】
ステップＳ１４では、抽出手段６で記憶手段５に格納されている１００枚の撮像データ（デジタルコンテンツ）から、ステップＳ１３で前記符号化された生体情報と同一であると判定された関連親データに関連する関連子データ全てを抽出する。
ステップＳ１５では、ステップＳ１４における抽出処理の結果、１００枚の撮像データのうち２３枚が撮影者Ａの撮影した撮像データと判別され、撮影者Ａが撮影した画像が順次再生（出力）され、閲覧することができる。
ステップＳ１６では、撮影者Ａが撮像した映像データが無い事を撮影者Ａに知らせる。
【００３２】
このようにして、撮影者Ａが撮影したデータを、出力手段（液晶画面等）にて、まとめて見る事が可能となる。また、例えば、複数の撮影者が家族であり、特定の撮影者Ａが娘である場合には、家族一人一人が撮影した写真を、家族がまとめて見ることにより撮影者であるＡ子ちゃんの関心事や、娘Ａ子ちゃんのセンスを親が確認する事が出来るので、家族のコミュニケーションが増す。同様に、撮像装置をプリンター等の外部出力装置に接続し、映像データを出力するような場合でも、撮影者Ａ子ちゃんが撮影したデータだけをプリントアウト（出力）するといった使い方が可能になる。
【００３３】
また、家族でなくとも、例えば、クラブ活動等で、データ管理機能を有する機器を具備する撮像装置を共同で使っている場合に、前記撮像装置の記憶装置内に保存してあるデジタルコンテンツを、部員が撮影したデジタルコンテンツ毎に閲覧すること、または、プリントアウトすることが可能である。同様に、クラブ活動の先生等（機器を使用して撮影をしていない人でも）が、部員毎の作品を見る事が容易に出来るので、撮影者の個性等を把握し易くなり、撮影者に対して適切なアドバイスをすることが可能となる。
【００３４】
ここで、生体情報入力手段と、コンテンツ入力操作手段とを一体としたことの特徴について説明する。実施例１では、撮像装置のシャッターボタンに生体情報入力手段が組み込まれ、シャッターボタンと生体情報入力手段は一体化している。このように、撮像装置の主動作、すなわち、撮影を実行するボタンに、生体情報入力手段を一体的に組み込むことで、撮像装置の操作者は、生体情報を入力しているということを意識することなく、従前の操作と同様の動作（シャッターボタンの押下）をするだけで、生体情報を入力することができる。すなわち、生体情報を読み込む処理と撮影を実行する処理を同時に行うことができる。また、製造者は、シャッターボタンと生体情報入力手段の一体化により、シャッターボタンを構成する部品と生体情報入力手段を構成する部品を共有するができるため、コストを削減することが可能となる。
【００３５】
その他に、例えば、デジタルビデオカメラの録画ボタンに生体情報入力手段を組み込み両者を一体化してもよい。また、携帯電話のメールやサウンドデータの保存ボタンに生体情報入力手段を組み込み一体化させてもよい。携帯電話の発信ボタンに組み込むことで、発信者を特定することができ、現在問題になっているオレオレ詐欺を防止する有効な手立てとして役立つ仕組みを作ることも可能となる。さらに、オーディオ機器や、録画装置等の録画、録音ボタンに組み込み一体化させてもよい。つまり、機器の操作者の意思で、ボタンを押して機器を実行させ、デジタルコンテンツを作成する操作スイッチに、生体情報入力手段を組み込むことで前記効果が実現できる。
【００３６】
図５は、デジタルコンテンツを撮像装置１０外に出力する場合、すなわち、ＰＣ１００等に生体情報を付加したデジタルコンテンツを保存する場合の例を説明するための図で、生体情報付加手段７は、前述のようにしたデジタルコンテンツ（著作物）に符号化された生体情報を付加する処理を行い、関連親データの生体情報に関連子データの画像データを付加する。なお、その他の処理は、図１及び図３で説明した処理と同様であるため、各処理の説明は、省略する。
【００３７】
図６は、図５に示したデータ管理機能を有する撮像装置１０からデジタルコンテンツを撮像装置外の例えばＰＣ１００に出力する処理を示したフロー図である。
ステップＳ３１では、ＰＣ１００と撮像装置１０を接続する。なお、接続方法としては、ＵＳＢ（Ｕｎｉｖｅｒｓａｌ  Ｓｅｒｉａｌ  Ｂｕｓ）、無線等を使用することができ、接続方法は問わない。
ステップＳ３２では、ＰＣ１００等で「移動」（又は「複製」）するデジタルコンテンツを決定する。
ステップＳ３３では、生体情報付加手段７によって、符号化された生体情報（関連親データ）を、デジタルコンテンツ（関連子データ）に付加する。
ステップＳ３４では、符号化された生体情報を付加したデジタルコンテンツが、ＰＣ１００に移動又は複製される。
【００３８】
上述のようにして、符号化された生体情報（関連親データ）を付加したデジタルコンテンツを、データ管理機能を有する機器を具備する撮像機器１０外の記憶媒体例えばＰＣ１００に移動又は複製することができる。本実施例では、撮像機器外に移動又は複製したが、記憶手段５を構成する記憶媒体が大容量ならば、該記憶手段５に、符号化された生体情報（関連親データ）を付加したデジタルコンテンツを保存しても良い。
【００３９】
図７は、デジタルコンテンツの作製者（撮像処理を行った者）以外のユーザが、前記デジタルコンテンツを作製した者が誰であるか認識できるように、デジタルコンテンツを管理する場合を例に説明するための要部概略構成図で、データ管理機能を有する機器１０は、前述の生体情報入力手段及びコンテンツ入力操作手段１、乃至抽出手段６に加えて、関連親データ名称データ入力手段１１、着脱不可能な記憶手段１２、関連親データ名称データ関連付け手段１３、関連子データ名設定手段１４を有する。着脱不可能な記憶手段１２は、関連親データ名称データ入力手段１１から入力された関連親データ名称データを保存する。関連親データ名称データ関連付け手段１３は、前記関連親データ名称データと前記関連親データとを関連付ける。また、関連子データ名設定手段１４は、前記関連親データ名称データの少なくとも一部を含めたデータを関連子データ名として設定する。
【００４０】
図８は、図７に示したデータ管理機能を有する機器１０において使用されるデータ構成の一例を表した図で、図８において、関連親データ名称データとして、着脱不可能な記憶手段１２に関連親データ名称データ３１、３２が記憶されている。機器１０の操作者は、関連親データ名称データとして所望の名称を入力することができ、図８に示した例では、機器の操作者は、山田奈々子、ｎａｋａｔａｃｈａｎと入力している。また、記憶手段５に、関連親データ５１、５２の２つのデータが記憶されている。なお、前記関連親データ５１、５２は、それぞれ、山田奈々子、ｎａｋａｔａｃｈａｎの生体情報を符号化したデータである。また、記憶手段５には、関連子データ５３〜５８の６個のデータが記録されている。なお、関連子データ５３〜５８は、デジタルコンテンツであれば種類は問わず、画像データ、音データ、テキストデータ、番組録画データ、動画データ等であってもよい。
【００４１】
図８において、線４１〜４８は、関連親データ名称データ３１，３２と関連親データ５１，５２が、そして、線４３，４４〜４８は関連親データ５１，５２と関連子データ５３，５４〜５８が関連したデータであることを表す線（概念線）である。つまり、関連親データ名称データ３１は、線４１で繋がっている関連親データ５１と関連があり、関連親データ５１は、線４３で繋がっている関連子データ５３と関連がある事を表している。また、関連親データ名称データ３２は、線４２で繋がっている関連親データ５２と関連があり、関連親データ５２は、線４４〜４８で繋がっている５つの関連子データ５４〜５８とそれぞれ関連があることを表している。
【００４２】
そして、関連親データ名称データ（例えば、山田奈々子）の少なくとも一部（例えば、奈々子）を含めたデータを関連子データの名称（奈々子２００４０１１３）として設定すれば、それ以降、関連子データが生成されるたびに、関連親データ名称データの少なくとも一部を含めたデータで関連子データの名称が設定される。また、関連親データの名称データを、着脱不可能な記憶手段１２に記憶させると、記憶手段５がフォーマットされても、着脱不可能な記憶手段１２には関連親データ名称データが残っているので、再度、関連親データが記録された際に、前記関連親データ名称データを前記関連親データの名称として前記関連親データと関連付けることができる。
【００４３】
図９は、関連子データ名を設定する処理の手順を示したフロー図で、
ステップＳ４１では、関連親データの名称をユーザーに入力するように指示が表示され、ステップＳ４２に進む。
ステップＳ４２では、関連親データ名称データ入力手段１１を利用して、関連親データ名称（例えば、山田奈々子）を入力し、ステップＳ４３に進む。
ステップＳ４３では、ステップＳ４２で入力した名称を（関連親データ名称データとして入力した山田奈々子を）、着脱不可能な記憶手段１２に記録し、ステップＳ４４に進む。
ステップＳ４４では、関連親データ名称データと関連させる関連親データを指定し、関連親データ名称データ関連付け手段１３にて、関連親データ名称データと前記関連親データとを関連させて、ステップＳ４５に進む。図８では、関連親データ名称データ３１は、関連親データ５１と関連しており、関連親データ名称データ３２は、関連親データ５２と関連している。なお、指定方法としては、リストビューによって指定してもよいし、シャッターボタンを押下することにより指定してもよい。
ステップＳ４５では、関連子データ名設定手段１４にて、関連親データ名称データの少なくとも一部を含めたデータを前記関連子データ名とする。例えば、関連子データ名として、山田奈々子２００４０１１３と設定する。なお、関連親データ名称データの一部を含めた関連子データ名とすることも可能で、例えば、図８に示したように、関連子データ名として、奈々子２００４０１１３と設定することもできる。
【００４４】
上述した方法により、関連親データ名称データの少なくとも一部を含むデジタルコンテンツ名が設定され、デジタルコンテンツが管理されることとなる。図８では、関連子データ５３の関連子データ名は、奈々子２００４０１１３であり、関連子データ５４〜５８の関連子データ名は、ｎａｋａｔａｃｈａｎ０１〜ｎａｋａｔａｃｈａｎ０５と設定されている。
【図面の簡単な説明】
【００４５】
【図１】本発明によるデータ管理機能を有する機器の概略構成を示すブロック図である。
【図２】本発明によるデータ管理機能を有する機器で使用されるデータの構成を表した図である。
【図３】本発明によるデータ管理機能として機器を有する撮像装置を使用し、被写体を撮影するまでの動作手順を示したフロー図である。
【図４】本発明によるデータ管理機能として機器を有する撮像装置を使用し、所望のデジタルコンテンツを抽出する処理手順を示したフロー図である。
【図５】本発明による第３の実施例におけるデータ管理機能を有する機器の他の実施例を説明するための概略構成を示すブロック図である。
【図６】本発明によるデータ管理機能としての機器を有する撮像装置からデジタルコンテンツを撮像装置外に出力する処理手順を示したフロー図である。
【図７】本発明によるデータ管理機能を有する機器の他の実施を説明するための概略構成を示すブロック図である。
【図８】本発明によるデータ管理機能を有する機器で使用されるデータの構成を表した図である。
【図９】本発明による関連子データ名を設定する処理手順を示したフロー図である。
【符号の説明】
【００４６】
１…生体情報入力手段及びコンテンツ入力操作手段、２…生体情報符号化手段、３…デジタルコンテンツ生成手段、４…符号化生体情報関連付け手段、５…記憶手段、６…抽出手段、７…生体情報付加手段、１０…データ管理機能を有する機器、１１…関連親データ名称データ入力手段、１２…着脱不可能な記憶手段、１３…関連親データ名称データ関連付け手段、１４…関連子データ名設定手段、２１…関連親データ、２２〜２５…関連子データ、３１、３２…関連親データ名称データ、５１、５２…関連親データ、５３〜５８…関連子データ。
【図１】
2006172146.tif 000003
【図２】
2006172146.tif 000004
【図３】
2006172146.tif 000005
【図４】
2006172146.tif 000006
【図５】
2006172146.tif 000007
【図６】
2006172146.tif 000008
【図７】
2006172146.tif 000009
【図８】
2006172146.tif 000010
【図９】
2006172146.tif 000011